(57)【要約】【課題】  モノリシックマイクロ波集積回路（ＭＭＩＣ）上で動作可能な増幅器の伝送可能な無線周波数（ＲＦ）電力を監視するための方法およびシステムを提供する。【解決手段】  例示的な実施例によると、回路は、増幅器から負荷へと送られるＲＦ信号の第１の部分および負荷から増幅器へと反射されて戻るＲＦ信号の第２の部分をＭＭＩＣ上で捕捉するように構成される。回路は、ＲＦ信号の第１の部分のＲＦ電力に比例する第１の信号およびＲＦ信号の第２の部分のＲＦ電力に比例する第２の信号をＭＭＩＣ上に生成するようにも構成される。付加的な回路は、第１の基準信号を第１の信号から減じて第３の信号を生成し、第２の基準信号を第２の信号から減じて第４の信号を生成するように構成される。最後に、回路は、第４の信号を第３の信号から減じて増幅器の負荷へと伝送可能なＲＦ電力に比例する出力信号を生成するように構成される。【選択図】        図１
2004279423.tif 000002
【特許請求の範囲】
【請求項１】
モノリシックマイクロ波集積回路（ＭＭＩＣ）上で動作可能な増幅器の伝送可能なＲＦ電力を監視するためのシステムであって、
前記増幅器から負荷へと送られるＲＦ信号の第１の部分および前記負荷から前記増幅器へと反射されて戻る前記ＲＦ信号の第２の部分を前記ＭＭＩＣ上で捕捉するように構成される回路と、
前記ＲＦ信号の前記第１の部分のＲＦ電力に比例する第１の信号および前記ＲＦ信号の前記第２の部分のＲＦ電力に比例する第２の信号を前記ＭＭＩＣ上に生成するように構成される回路と、
第１の基準信号を前記第１の信号から減じて第３の信号を生成し、第２の基準信号を前記第２の信号から減じて第４の信号を生成するように構成される回路と、
前記第４の信号を前記第３の信号から減じて前記増幅器の負荷へと伝送可能なＲＦ電力に比例する出力信号を生成するように構成される回路とを含む、モノリシックマイクロ波集積回路（ＭＭＩＣ）上で動作可能な増幅器の伝送可能なＲＦ電力を監視するためのシステム。
【請求項２】
前記捕捉するように構成される回路は、
４ポート双方向性結合器を含み、前記結合器は、
前記増幅器の出力端子に直接的に接続される第１のポートと、
前記負荷に直接的に接続される第２のポートと、
前記第１の信号を生成するように構成される前記回路に直接的に接続されかつ前記第１のポートに電磁気的に結合される第３のポートと、
前記第２の信号を生成するように構成される前記回路に直接的に接続されかつ前記第２のポートに電磁気的に結合される第４のポートとを含む、請求項１に記載のモノリシックマイクロ波集積回路（ＭＭＩＣ）上で動作可能な増幅器の伝送可能なＲＦ電力を監視するためのシステム。
【請求項３】
前記生成するように構成される回路は、
第１の端子が前記第３のポートに直接的に接続され、前記ＲＦ信号の前記第１の部分を前記第１の信号に対応する第１の電圧へと変換するように構成される第１のＲＦダイオードと、
第１の端子が前記第４のポートに直接的に接続され、前記ＲＦ信号の前記第２の部分を前記第２の信号に対応する第２の電圧へと変換するように構成される第２のＲＦダイオードとを含む、請求項２に記載のモノリシックマイクロ波集積回路（ＭＭＩＣ）上で動作可能な増幅器の伝送可能なＲＦ電力を監視するためのシステム。
【請求項４】
前記第１のＲＦダイオードに実質的に類似の、前記第１の基準信号に対応する第１の基準電圧を前記ＭＭＩＣ上に生成するように構成される、第３のＲＦダイオードと、
前記第２のＲＦダイオードに実質的に類似の、前記第２の基準信号に対応する第２の基準電圧を前記ＭＭＩＣ上に生成するように構成される、第４のＲＦダイオードとを含む、請求項３に記載のモノリシックマイクロ波集積回路（ＭＭＩＣ）上で動作可能な増幅器の伝送可能なＲＦ電力を監視するためのシステム。
【請求項５】
前記第１および第２の基準信号を減じるように構成される回路は、
第１の入力が前記第１のＲＦダイオードの第２の端子に接続され、第２の端子が前記第３のＲＦダイオードに接続され、前記第１の電圧と前記第１の基準電圧との差を増幅して前記第３の信号に対応する第１の差動電圧を生成するように構成される第１の差動増幅器と、
第１の入力が前記第２のＲＦダイオードの第２の端子に接続され、第２の端子が前記第
４のＲＦダイオードに接続され、前記第２の電圧と前記第２の基準電圧との差を増幅して前記第４の信号に対応する第２の差動電圧を生成するように構成される第２の差動増幅器とを含む、請求項４に記載のモノリシックマイクロ波集積回路（ＭＭＩＣ）上で動作可能な増幅器の伝送可能なＲＦ電力を監視するためのシステム。
【請求項６】
前記第４の信号を前記第３の信号から減じるように構成される回路は、
第１の入力が前記第１の差動増幅器の出力に接続され、第２の端子が前記第２の差動増幅器の出力に接続され、前記第１および第２の差動電圧の差を増幅して前記増幅器の負荷へと伝送可能なＲＦ電力に比例する前記出力信号に対応する出力差動電圧を生成するように構成される第３の差動増幅器を含む、請求項５に記載のモノリシックマイクロ波集積回路（ＭＭＩＣ）上で動作可能な増幅器の伝送可能なＲＦ電力を監視するためのシステム。
【請求項７】
前記出力差動電圧を前記増幅器の負荷へと伝送可能なＲＦ電力のデジタル表現へと変換するように構成されるアナログデジタルコンバータを含む、請求項６に記載のモノリシックマイクロ波集積回路（ＭＭＩＣ）上で動作可能な増幅器の伝送可能なＲＦ電力を監視するためのシステム。
【請求項８】
モノリシックマイクロ波集積回路（ＭＭＩＣ）上で動作可能な増幅器の伝送可能なＲＦ電力を監視するためのＭＭＩＣ上に集積されたシステムであって、
第１のポートが前記増幅器の出力端子に直接的に接続され、第２のポートが負荷に直接的に接続され、第３のポートが前記第１のポートに電磁気的に結合され、第４のポートが前記第２のポートに電磁気的に結合される４ポート双方向性結合器と、
第１の端子が前記結合器の前記第３のポートに直接的に接続される第１のＲＦダイオードと、
第１の端子が前記結合器の前記第４のポートに直接的に接続される第２のＲＦダイオードと、
第１の入力が前記第１のＲＦダイオードの第２の端子に接続され、第２の入力が第３のＲＦダイオードに接続される第１の差動増幅器と、
第１の入力が前記第２のＲＦダイオードの第２の端子に接続され、第２の入力が第４のＲＦダイオードに接続される第２の差動増幅器と、
第１および第２の入力が前記第１および第２の差動増幅器のそれぞれの出力に接続され、ＲＦ信号を前記負荷へと送るときに前記増幅器のＲＦ電力に比例する差動電圧を生成するように構成される第３の差動増幅器とを含む、モノリシックマイクロ波集積回路（ＭＭＩＣ）上で動作可能な増幅器の伝送可能なＲＦ電力を監視するためのＭＭＩＣ上に集積されたシステム。
【請求項９】
前記４ポート双方向性結合器は、前記増幅器から前記負荷へと送られる前記ＲＦ信号の第１の部分を前記第３にポートに結合し、前記負荷から前記増幅器へと反射されて戻る前記ＲＦ信号の第２の部分を前記第４のポートに結合するように構成される、ランゲ結合器である、請求項８に記載のモノリシックマイクロ波集積回路（ＭＭＩＣ）上で動作可能な増幅器の伝送可能なＲＦ電力を監視するためのＭＭＩＣ上に集積されたシステム。
【請求項１０】
前記ランゲ結合器は、前記増幅器から前記負荷へと送られる前記ＲＦ信号の波長の約４０分の１のＲＦ信号を結合するように短縮される、請求項９に記載のモノリシックマイクロ波集積回路（ＭＭＩＣ）上で動作可能な増幅器の伝送可能なＲＦ電力を監視するためのＭＭＩＣ上に集積されたシステム。
【請求項１１】
モノリシックマイクロ波集積回路（ＭＭＩＣ）上で動作可能な増幅器の伝送可能なＲＦ電力を監視するための方法であって、
前記増幅器から負荷へと送られるＲＦ信号の第１の部分および前記負荷から前記増幅器
へと反射されて戻る前記ＲＦ信号の第２の部分を前記ＭＭＩＣ上で捕捉するステップと、
前記ＲＦ信号の前記第１の部分のＲＦ電力に比例する第１の信号および前記ＲＦ信号の前記第２の部分のＲＦ電力に比例する第２の信号を前記ＭＭＩＣ上に生成するステップと、
第１の基準信号を前記第１の信号から減じて第３の信号を生成し、第２の基準信号を前記第２の信号から減じて第４の信号を生成するステップと、
前記第４の信号を前記第３の信号から減じて前記増幅器の負荷へと伝送可能なＲＦ電力に比例する出力信号を生成するステップとを含む、モノリシックマイクロ波集積回路（ＭＭＩＣ）上で動作可能な増幅器の伝送可能なＲＦ電力を監視するための方法。
【請求項１２】
前記捕捉するステップは、
４ポート双方向性結合器を使用して、前記ＲＦ信号の前記第１および第２の部分を前記第１および第２の信号を生成することのできる回路へと結合するステップを含む、請求項１１に記載のモノリシックマイクロ波集積回路（ＭＭＩＣ）上で動作可能な増幅器の伝送可能なＲＦ電力を監視するための方法。
【請求項１３】
前記生成するステップは、
第１のＲＦダイオードを使用して、前記ＲＦ信号の前記第１の部分を前記第１の信号に対応する第１の電圧へと変換し、第２のＲＦダイオードを使用して、前記ＲＦ信号の前記第２の部分を前記第２の信号に対応する第２の電圧へと変換するステップを含む、請求項１１に記載のモノリシックマイクロ波集積回路（ＭＭＩＣ）上で動作可能な増幅器の伝送可能なＲＦ電力を監視するための方法。
【請求項１４】
前記第１のＲＦダイオードに実質的に類似の第３のＲＦダイオードを使用して、前記第１の基準信号に対応する第１の基準電圧を前記ＭＭＩＣ上に生成し、前記第２のＲＦダイオードに実質的に類似の第４のＲＦダイオードを使用して、前記第２の基準信号に対応する第２の基準電圧を前記ＭＭＩＣ上に生成するステップを含む、請求項１３に記載のモノリシックマイクロ波集積回路（ＭＭＩＣ）上で動作可能な増幅器の伝送可能なＲＦ電力を監視するための方法。
【請求項１５】
前記第１および第２の基準信号を減じるステップは、
前記第１の電圧と前記第１の基準電圧との差を増幅して前記第３の信号に対応する第１の差動電圧を生成し、前記第２の電圧と前記第２の基準電圧との差を増幅して前記第４の信号に対応する第２の差動電圧を生成するステップを含む、請求項１４に記載のモノリシックマイクロ波集積回路（ＭＭＩＣ）上で動作可能な増幅器の伝送可能なＲＦ電力を監視するための方法。
【請求項１６】
前記第４の信号を前記第３の信号から減じるステップは、
前記第１および第２の差動電圧の差を増幅して前記増幅器の負荷へと伝送可能なＲＦ電力に比例する前記出力信号に対応する出力差動電圧を生成するステップを含む、請求項１５に記載のモノリシックマイクロ波集積回路（ＭＭＩＣ）上で動作可能な増幅器の伝送可能なＲＦ電力を監視するための方法。
【請求項１７】
アナログデジタルコンバータを使用して、前記出力差動電圧を前記増幅器の負荷へと伝送可能なＲＦ電力のデジタル表現へと変換するステップを含む、請求項１６に記載のモノリシックマイクロ波集積回路（ＭＭＩＣ）上で動作可能な増幅器の伝送可能なＲＦ電力を監視するための方法。
【発明の詳細な説明】
【技術分野】
【０００１】
背景
無線周波数（ＲＦ）電力検出における技術を説明する。特に、モノリシックマイクロ波集積回路（ＭＭＩＣ）上で動作可能な増幅器の伝送可能なＲＦ電力を監視するための方法およびシステムを説明する。
【背景技術】
【０００２】
モジュールまたはパッケージされた用途におけるＭＭＩＣ電力増幅器の伝送される電力を判定するための電力検出方法が存在するが、それらは負荷へと出力される電力をオフチップ方向性結合器と電力検出器との組合せを通じて監視することに限られている。ＭＭＩＣの中にはオンチップ検出器を含むものもあるが、これら検出器は増幅器の利用可能な電力を監視するにすぎない。
【発明の開示】
【発明が解決しようとする課題】
【０００３】
出力回路によって伝送される真の電力を増幅器が適切に表わさない場合にオンチップ検出器を使用して利用可能な電力を検知する。
【課題を解決するための手段】
【０００４】
概要
ＭＭＩＣ上で動作可能な増幅器の伝送可能なＲＦ電力を監視するための方法およびシステムを開示する。例示的な実施例によると、回路は、増幅器から負荷へと送られるＲＦ信号の第１の部分および負荷から増幅器へと反射されて戻るＲＦ信号の第２の部分をＭＭＩＣ上で捕捉するように構成される。回路は、ＲＦ信号の第１の部分のＲＦ電力に比例する第１の信号およびＲＦ信号の第２の部分のＲＦ電力に比例する第２の信号をＭＭＩＣ上に生成するようにも構成される。付加的な回路は、第１の基準信号を第１の信号から減じて第３の信号を生成し、第２の基準信号を第２の信号から減じて第４の信号を生成するように構成される。最後に、回路は、第４の信号を第３の信号から減じて増幅器の負荷へと伝送可能なＲＦ電力に比例する出力信号を生成するように構成される。
【０００５】
別の例示的な実施例によると、システムは、４ポート双方向性結合器を含むモノリシックマイクロ波集積回路（ＭＭＩＣ）上に集積される。結合器は、増幅器の出力端子に直接的に接続される第１のポート、負荷に直接的に接続される第２のポート、第１のポートに電磁気的に結合される第４のポートおよび第２のポートに電磁気的に結合される第４のポートを含む。第１のＲＦダイオードは、第１の端子が結合器の第３のポートに直接的に接続されている。第２のＲＦダイオードは、第１の端子が結合器の第４のポートに直接的に接続されている。第１の差動増幅器は、第１の入力が第１のＲＦダイオードの第２の端子に接続され、第２の入力が第３のＲＦダイオードに接続されている。第２の差動増幅器は、第１の入力が第２のＲＦダイオードの第２の端子に接続され、第２の入力が第４のＲＦダイオードに接続されている。第３の差動増幅器は、第１および第２の入力が第１および第２の差動増幅器のそれぞれの出力に接続され、ＲＦ信号を負荷へと送るときに増幅器のＲＦ電力に比例する差動電圧を生成するように構成される。
【０００６】
上述の技術の他の目的および利点は、同様の参照番号が同様の要素を示す添付の図面とともに以下の説明を読むことによって当業者に明らかとなるであろう。
【発明を実施するための最良の形態】
【０００７】
詳細な説明
ＲＦ増幅器によって伝送される真の電力を判定するには、増幅器から負荷へと伝送されるＲＦ信号の順電力（または、入射電力）（ＰI）および反射電力（ＰR）の両方を判定しなければならない。素子の損失を無視すると、負荷へと伝送される真の電力Ｐは、次のように計算できる。
【０００８】
Ｐ＝ＰI−ＰR
ＲＦ信号の入射電力および反射電力に比例する信号は、電圧などの測定可能な量に変換できる。入射電力および反射電力を表わす電圧の差をとって、増幅器から負荷へと伝送される真の電力に比例する差動電圧を得ることができる。
【０００９】
図１は、ＭＭＩＣ上で動作可能な増幅器の伝送可能なＲＦ電力を監視するための構成を示す。この図は、ＲＦ信号を負荷１０６へと伝送するように構成される増幅器１０４を有するＭＭＩＣ１０２を示す。負荷１０６は、物理的にＭＭＩＣ上にあってもよいし（オンチップ）、または、たとえば、オフチップアンテナ（図示せず）などのように物理的にＭＭＩＣの外部にあってもよい（オフチップ）。
【００１０】
この構成は、増幅器から負荷へと送られるＲＦ信号の第１の部分および負荷から増幅器へと反射されて戻るＲＦ信号の第２の部分をＭＭＩＣ上で捕捉するように構成される回路を含む。たとえば、捕捉するように構成される回路は、図１に示されるように４ポート双方向性結合器１０８であってもよい。結合器１０８は、増幅器１０４の出力端子に直接的に接続される第１のポートを含んでもよい。結合器１０８の第２のポートは、負荷１０６に直接的に接続されてもよい。結合器１０８の第３および第４のポートは、それぞれ結合器１０８の第１および第２のポートに電磁気的に結合されてもよい。
【００１１】
４ポート双方向性結合器１０８は、増幅器１０４によって結合器１０８の第１のポートへと注入されたＲＦ信号の第１の部分を結合器１０８の第３のポートに結合するように構成してもよい。第１の部分は、ＲＦ信号の入射波形部、すなわち、増幅器１０４から負荷１０６へと伝わるＲＦ信号の部分を表わす。結合器１０８は、結合器１０８の第１のポートに入る入射波形の部分のみが結合器１０８の第３のポートへと結合されるように構成される（たとえば、下向きの矢印は第１の方向性結合を示す）。
【００１２】
負荷１０６のインピーダンスＺLが増幅器１０４の出力インピーダンスＺOに完全に整合しない場合、増幅器１０４によって送られるＲＦ信号の部分は負荷１０６から反射されて戻る。結合器１０８は、負荷１０６から結合器１０８の第２のポートへと反射されるＲＦ信号の第２の部分を結合器１０８の第４のポートへと結合するように構成してもよい。第２の部分は、ＲＦ信号の反射された波形部、すなわち、負荷１０６から増幅器１０４へと伝わるＲＦ信号の部分を表わす。ここでも、結合器１０８は、結合器１０８の第２のポートに入る反射された波形の部分のみが結合器１０８の第４のポートへと結合されるように構成される（たとえば、上向きの矢印は、第１の方向性結合に対向する第２の方向性結合を示す）。
【００１３】
従来のエッジ結合ストリップ伝送線方向性結合器または単純な抵抗器タップを使用して一方向で出力電力をサンプリングする代わりに、結合器１０８は、図２に示されるようにＲＦ信号の入射部分および反射部分の両方をサンプリングするように設計されたランゲ結合器２０８であってもよい。ランゲ結合器２０８は、増幅器１０４から負荷１０６へと送られているＲＦ信号の中心周波数の波長の約４０分の１の信号に応答するように短縮され得る。ランゲ結合器２０８の線幅および分離の値を最大の信号転送に対して最適化して、短縮されていることを補償してもよい。ランゲ結合器の設計は、マイクロ波設計技術でよ
く知られており、ここで詳しく説明する必要はない。
【００１４】
図１の構成は、ＭＭＩＣ上に、ＲＦ信号の第１の部分のＲＦ電力に比例する第１の信号を生成するように構成される回路１１０およびＲＦ信号の第２の部分のＲＦ電力に比例する第２の信号を生成するように構成される回路１１６をさらに含む。回路１１０は、第１の端子が第３のポートに直接的に接続され、ＲＦ信号の第１の部分をＲＦ信号の入射電力に比例する第１の電圧へと変換するように構成される、第１のＲＦダイオード２０２を含んでもよい。同様に、回路１１６は、第１の端子が第４のポートに直接的に接続され、ＲＦ信号の第２の部分をＲＦ信号の反射電力に比例する第２の電圧へと変換するように構成される、第２のＲＦダイオード２０４を含んでもよい。
【００１５】
ＲＦダイオード２０２／２０４は、二乗領域で動作することが好ましく、結合器１０８の第３および第４のポートへと結合されるＲＦ信号の入射および反射電力に直線的に比例する出力電圧を生成することができる。図２に示されるように、回路１１０／１１６は、識別可能な電圧を生成するために抵抗器とキャパシタとの対を含んでもよい。
【００１６】
図１の構成は、第１の基準信号を第１の信号から減じて第３の信号を生成するように構成される回路１１２および第２の基準信号を第２の信号から減じて第４の信号を生成するように構成される回路１２０をさらに含む。第１および第２の基準信号は、ＲＦ信号の入射および反射電力に比例する第１および第２の電圧を生成するように構成される検出回路１１０／１１６に実質的に類似の基準回路１１４／１１８を使用して生成してもよい。
【００１７】
基準回路１１４／１１８は、公称ＤＣバイアスを複製しかつ検出回路１１０／１１６によって生成される温度の変動およびプロセスの変動を取除く基準信号を生成するように構成してもよい。これら基準信号を検出回路１１０／１１６によって生成される第１および第２の信号から減じて、ＭＭＩＣでの温度および／またはプロセスの変動によって起こる検出信号の変動を低減することができる。検出回路１１４／１１８は、正確な基準の値を生成するためにＭＭＩＣ上のＲＦ電力から分離されることが好ましい。
【００１８】
基準回路１１４／１１８は、（方向付けおよび設計の両方において）それぞれ第１および第２のＲＦダイオード２０２／２０４に実質的に類似の第３および第４のＲＦダイオード２０２ａ／２０４ａを含んでもよい。ここでも、ダイオード２０２ａ／２０４ａは、二乗領域でバイアスされることが好ましく、検出回路１１０／１１６に含まれるダイオード２０２／２０４の静止動作点に対応するそれぞれの出力電圧を生成する。検出回路１１０／１１６と同じように、基準回路１１４／１１８は、測定から温度の変動およびプロセスの変動を取除くために、抵抗器／キャパシタの対を含んでもよい。
【００１９】
図１に示されるように、第１の基準信号を第１の信号から減じるように構成される回路１１２は、第１の入力が基準回路１１０に含まれる第１のＲＦダイオード２０２の第２の端子に接続され、第２の端子が基準回路１１４に含まれる第３のＲＦダイオード２０２ａに接続される第１の差動増幅器を含んでもよい。第１の差動増幅器１１２は、検出回路１１０によって生成される第１の電圧と基準回路１１４によって生成される第１の基準電圧との差を増幅するように構成される。増幅器１１２によって生成される差動電圧は、ＲＦ信号の入射電力に比例し、ＭＭＩＣでの温度および／またはプロセスの変動を勘案するように調節される。
【００２０】
同様に、第２の基準信号を第２の信号から減じるように構成される回路１２０は、第１の入力が検出回路１１６に含まれる第２のＲＦダイオード２０４の第２の端子に接続され、第２の端子が基準回路１１８に含まれる第３のＲＦダイオード２０４ａに接続される第２の差動増幅器を含んでもよい。第２の差動増幅器１２０は、検出回路１１６によって生
成される第２の電圧と基準回路１１８によって生成される第２の基準電圧との差を増幅するように構成される。増幅器１２０によって生成される差動電圧は、ＲＦ信号の反射電力に比例し、ここでも、ＭＭＩＣの温度および／またはプロセスの変動を勘案するように調節される。
【００２１】
図１の構成は、第４の信号を第３の信号から減じて増幅器の負荷へと伝送可能なＲＦ電力に比例する出力信号を生成するように構成される回路１２２をさらに含む。回路１２２は、第１の入力が第１の差動増幅器１１２の出力に接続され、第２の端子が第２の差動増幅器１２０の出力に接続される第３の差動増幅器を含んでもよい。第３の差動増幅器は、増幅器１１２／１２０によって生成される第１および第２の差動電圧の差を増幅して、増幅器の負荷へと伝送可能なＲＦ電力に比例する出力差動電圧を生成するように構成してもよい。アナログデジタルコンバータ（図示せず）は、出力差動電圧を増幅器の負荷へと伝送可能なＲＦ電力のデジタル表現へと変換するように構成してもよい。
【００２２】
図３は、ＭＭＩＣ上で動作可能な増幅器の伝送可能なＲＦ電力を監視するためのステップを示すフローチャートである。ステップ３０２では、増幅器から負荷へと送られるＲＦ信号の第１の部分および負荷から増幅器へと反射されて戻るＲＦ信号の第２の部分がＭＭＩＣ上で捕捉される。ステップ３０４で、ＭＭＩＣ上で、ＲＦ信号の第１の部分のＲＦ電力に比例する第１の信号が生成され、ＲＦ信号の第２の部分のＲＦ電力に比例する第２の信号が生成される。ステップ３０６では、第１の基準信号が第１の信号から減じられて第３の信号が生成され、第２の基準信号が第２の信号から減じられて第４の信号が生成される。ステップ３０８では、第４の信号が第３の信号から減じられて増幅器の負荷へと伝送可能なＲＦ電力に比例する出力信号が生成される。
【００２３】
例示的な実施例によると、捕捉するステップは、４ポート双方向性結合器を使用して、ＲＦ信号の第１および第２の部分を第１および第２の信号を生成することのできる回路へと結合するステップを含んでもよい。生成するステップは、第１のＲＦダイオードを使用して、ＲＦ信号の第１の部分を第１の信号に対応する第１の電圧へと変換するステップと、第２のＲＦダイオードを使用して、ＲＦ信号の第２の部分を第２の信号に対応する第２の電圧へと変換するステップとを含む。
【００２４】
第１のＲＦダイオードに実質的に類似の第３のＲＦダイオードを使用して、第１の基準信号に対応する第１の基準電圧をＭＭＩＣ上に生成し、第２のＲＦダイオードに実質的に類似の第４のＲＦダイオードを使用して、第２の基準信号に対応する第２の基準電圧を生成してもよい。第１および第２の基準信号を減じるステップは、第１の電圧と第１の基準電圧との差を増幅して第３の信号に対応する第１の差動電圧を生成するステップを含んでもよい。さらに、第２の電圧と第２の基準電圧との差を増幅して第４の信号に対応する第２の差動電圧を生成してもよい。
【００２５】
第４の信号を第３の信号から減じるステップは、第１および第２の差動電圧の差を増幅して増幅器の負荷へと伝送可能なＲＦ電力に比例する出力信号に対応する出力差動電圧を生成するステップを含んでもよい。出力差動電圧は、アナログデジタルコンバータを使用して、増幅器の負荷へと伝送可能なＲＦ電力のデジタル表現に変換してもよい。
【００２６】
さまざまな局面を例示的な実施例に関して説明してきた。これら実施例を理解しやすくするため、多くの局面をコンピュータシステムの要素によって行なうことのできる動作のシーケンスの面から説明している。たとえば、実施例の各々において、さまざまな動作は、特化された回路（たとえば、相互に接続されて特化された機能を行なう別個の論理ゲートおよび／または電子装置）、１つまたは複数プロセッサによって実行されるプログラム命令、または両者の組合せによって行なうことができることが理解されるであろう。さら
に、例示的な実施例は、上述の技術をプロセッサに実行させるコンピュータの命令の適切なセットを記憶したあらゆる形のコンピュータの読取可能な記憶媒体の一部とみなすことができる。
【００２７】
したがって、さまざまな局面はさまざまな異なる形で実現することができ、そのような形はここに説明される範囲内にあると考えられる。さまざまな局面の各々について、実施例のそのような形は、ここでは、上述の動作を行なうように「構成される論理」または「構成される回路」と称される。
【００２８】
当業者には、この発明の精神または本質的な特徴から離れることなく、この発明をさまざまな具体的な形で実現できることが理解されるであろう。ここに記載される実施例は、あらゆる面において例示的なものであり、限定的なものではない。この発明の範囲は上述の説明ではなく特許請求の範囲に示され、それに相当する意味および範囲内でのすべての変更が含まれることが意図される。
【図面の簡単な説明】
【００２９】
【図１】例示的な実施例によるＭＭＩＣ上で動作可能な増幅器の伝送可能なＲＦ電力を監視するための構成を示す図である。
【図２】図１に示される例示的な構成に含まれる回路を示す図である。
【図３】ＭＭＩＣ上で動作可能な増幅器の伝送可能なＲＦ電力を監視するためのステップを示すフローチャートである。
【符号の説明】
【００３０】
１０２  ＭＭＩＣ、１０４  増幅器、１０６  負荷、１０８  結合器、１１０、１１６
検出回路、１１４、１１８  基準回路。
【図２】
2004279423.tif 000003
【図３】
2004279423.tif 000004
【図１】
2004279423.tif 000005